(57)【要約】      （修正有）【課題】キャリーバッグとして使用できると共にトートバッグとして使用する場合にも外観品質が低下することがなく、しかも手に持ったり肩に掛けたりしても洋服等が汚れたりするおそれがないキャリーバッグ兼用トートバッグを提供する。【解決手段】キャリーバッグ兼用トートバッグ１０のバッグ本体１２は第１バッグ本体シート体１４、第２バッグ本体シート体１６、底板部１８を備えている。バッグ本体１２の上下方向中間部にはトートバッグ形成ファスナー３０がバッグ本体１２の周方向に沿って取り付けられている。底板部１８の底面に設けられたキャスター取付体にはキャスターが取り付けられたキャスター支持アームが取り付けられている。底板部１８の底面中間部には底部カバー収容ポケットが形成されている。底板部１８には連結部を介して底部カバー６０が取り付けられている。【選択図】図１
0003192542.tif 000002
【実用新案登録請求の範囲】
【請求項１】
バッグ本体と、このバッグ本体に取り付けられた持ち手部と、前記バッグ本体の上下方向中間部に設けられると共に前記バッグ本体を横方向に一周するように取り付けられたトートバッグ形成ファスナーと、前記バッグ本体の底面部に設けられたキャスター取付体と、このキャスター取付体に回動可能に取り付けられたキャスター支持アームと、このキャスター支持アームに取り付けられたキャスターと、前記バッグ本体の底面部に取り付けられた底部カバーと、前記底面部に形成された底部カバー収容ポケットと、を有してなることを特徴とするキャリーバッグ兼用トートバッグ。
【請求項２】
請求項１において、
前記バッグ本体は、第１バッグ本体シート体と、この第１バッグ本体シート体と対向して配設された第２バッグ本体シート体と、を備え、
前記トートバッグ形成ファスナーは、第１一端部が前記第１バッグ本体シート体の上下向中間部に取り付けられて第１傾斜部が斜め上方に傾斜すると共に第１傾斜部に連続形成された第１水平部がバッグ本体を横方向に一周し第１他端部が第１バッグ本体シート体の幅方向中間部に取り付けられた第１トートバッグ形成ファスナー帯と、第２一端部が前記第１バッグ本体シート体の上下向中間部に取り付けられて第２傾斜部が斜め下方に傾斜すると共に第２傾斜部に連続形成された第２水平部がバッグ本体を横方向に一周し第２他端部が第１バッグ本体シート体の幅方向中間部に取り付けられた第２トートバッグ形成ファスナー帯と、前記第１トートバッグ形成ファスナー帯と前記第２トートバッグ形成ファスナー帯にスライド可能に取り付けられたトートバッグ形成ファスナースライダーと、から構成されたことを特徴とするキャリーバッグ兼用トートバッグ。
【請求項３】
請求項２において、
前記キャスター取付体に貫通形成されたキャスター支持アーム挿入孔と、前記キャスター取付体に形成されたスライド阻止部と、前記キャスター取付体に対向して形成された回動ストッパー部と、前記キャスター支持アーム挿入孔に中間部がスライド可能に挿入されると共に回動可能に配設された前記キャスター支持アームと、このキャスター支持アームの一端部に形成されたキャスター支持軸部に回転自在に取り付けられた前記キャスターと、前記キャスター支持アームの他端部に形成されたスタンド部と、を有してなることを特徴とするキャリーバッグ兼用トートバッグ。
【請求項４】
請求項３において、
前記底面部に連結部を介して取り付けられた前記底部カバーと、前記底面部の外周部に前記連結部を除いて取り付けられると共に底部カバーファスナーを構成する第１底部カバーファスナー帯と、前記底部カバーの外周部に前記連結部を除いて取り付けられると共に前記底部カバーファスナーを構成する第２底部カバーファスナー帯と、前記第１底部カバーファスナー帯と第２底部カバーファスナー帯にスライド可能に取り付けられると共に前記底部カバーファスナーを構成する底部カバーファスナースライダーと、を有してなることを特徴とするキャリーバッグ兼用トートバッグ。
【考案の詳細な説明】
【技術分野】
【０００１】
本考案は、トートバッグに関し、詳しくはキャリーバッグとしても使用できるキャリーバッグ兼用トートバッグに関する。
【背景技術】
【０００２】
従来よりトートバッグは広く知られ、主に女性を中心として広く使用されている。このトートバッグは主に手で持ったり肩に掛けて携帯されている。
このため、比較的軽い荷物を持ち運ぶ場合は便利であるが、手で持ったり肩に掛けて運ぶのには重い荷物を持ち運ぶ場合はトートバックは使用し難い。
そこで、上記不具合を解消するために重い荷物を持ち運ぶ場合に便利なキャスター付きトートバッグが提案されている（特許文献１）。
しかし、このキャスター付きトートバッグはバッグ本体の大きさを変えることができないため、キャリーバッグ等で運ぶような大きな荷物は運べないという不具合がある。
また、前記キャスター付きトートバッグはトートバッグの底面部にキャスターが常時露出した状態で取り付けられている。
このため、キャリーバッグとして使用する場合はよいが、トートバッグとして使用する場合はキャスターが邪魔になると共に外観品質が低下するという不具合がある。
また、キャスターが常時露出しているので手で持ったり肩に掛けたりするとキャスターが洋服等に触れて洋服等が汚れてしまう等の不具合がある。
【先行技術文献】
【特許文献】
【０００３】
【特許文献１】実用新案登録第３１８４２６６号
【考案の概要】
【考案が解決しようとする課題】
【０００４】
本考案は、上記事実に鑑みなされたものであり、キャリーバッグとして使用できると共にトートバッグとして使用する場合はキャスターが隠れるため外観品質が低下することがなく、しかも手に持ったり肩に掛けたりしても洋服等が汚れたりするおそれがないキャリーバッグ兼用トートバッグを提供するものである。
【課題を解決するための手段】
【０００５】
請求項１の考案は、バッグ本体と、このバッグ本体に取り付けられた持ち手部と、前記バッグ本体の上下方向中間部に設けられると共に前記バッグ本体を横方向に一周するように取り付けられたトートバッグ形成ファスナーと、前記バッグ本体の底面部に設けられたキャスター取付体と、このキャスター取付体に回動可能に取り付けられたキャスター支持アームと、このキャスター支持アームに取り付けられたキャスターと、前記バッグ本体の底面部に取り付けられた底部カバーと、前記底面部に形成された底部カバー収容ポケットと、を有してなることを特徴としている。
請求項２の考案は、請求項１において、前記バッグ本体は、第１バッグ本体シート体と、この第１バッグ本体シート体と対向して配設された第２バッグ本体シート体と、を備え、前記トートバッグ形成ファスナーは、第１一端部が前記第１バッグ本体シート体の上下向中間部に取り付けられて第１傾斜部が斜め上方に傾斜すると共に第１傾斜部に連続形成された第１水平部がバッグ本体を横方向に一周し第１他端部が第１バッグ本体シート体の幅方向中間部に取り付けられた第１トートバッグ形成ファスナー帯と、第２一端部が前記第１バッグ本体シート体の上下向中間部に取り付けられて第２傾斜部が斜め下方に傾斜すると共に第２傾斜部に連続形成された第２水平部がバッグ本体を横方向に一周し第２他端部が第１バッグ本体シート体の幅方向中間部に取り付けられた第２トートバッグ形成ファスナー帯と、前記第１トートバッグ形成ファスナー帯と前記第２トートバッグ形成ファスナー帯にスライド可能に取り付けられたトートバッグ形成ファスナースライダーと、から構成されたことを特徴としている。
請求項３の考案は、請求項２において、前記キャスター取付体に貫通形成されたキャスター支持アーム挿入孔と、前記キャスター取付体に形成されたスライド阻止部と、前記キャスター取付体に対向して形成された回動ストッパー部と、前記キャスター支持アーム挿入孔に中間部がスライド可能に挿入されると共に回動可能に配設された前記キャスター支持アームと、このキャスター支持アームの一端部に形成されたキャスター支持軸部に回転自在に取り付けられた前記キャスターと、前記キャスター支持アームの他端部に形成されたスタンド部と、を有してなることを特徴としている。
請求項４の考案は、請求項３において、前記底面部に連結部を介して取り付けられた前記底部カバーと、前記底面部の外周部に前記連結部を除いて取り付けられると共に底部カバーファスナーを構成する第１底部カバーファスナー帯と、前記底部カバーの外周部に前記連結部を除いて取り付けられると共に前記底部カバーファスナーを構成する第２底部カバーファスナー帯と、前記第１底部カバーファスナー帯と第２底部カバーファスナー帯にスライド可能に取り付けられると共に前記底部カバーファスナーを構成する底部カバーファスナースライダーと、を有してなることを特徴としている。
【考案の効果】
【０００６】
本考案のキャリーバッグ兼用トートバッグは、バッグ本体を上下方向に伸ばして大きくすることができるので、大きな荷物も収容して持ち運ぶことができるという優れた効果を有する。
本考案のキャリーバッグ兼用トートバッグは、トートバッグとして携帯する場合にキャスターが露出しないので外観品質が低下するおそれがないという優れた効果を有する。
本考案のキャリーバッグ兼用トートバッグは、トートバッグとして携帯する場合にキャスターが露出しないので手で持ったり肩に掛ける等してもキャスターが洋服等に触れることを防止できるという優れた効果を有する。
【図面の簡単な説明】
【０００７】
【図１】実施例のキャリーバッグ兼用トートバッグをトートバッグとして使用する場合の全体斜視図である。
【図２】実施例のキャリーバッグ兼用トートバッグのバッグ本体を伸ばした状態の正面図である。
【図３】実施例のキャリーバッグ兼用トートバッグのバッグ本体を伸ばした状態の背面図である。
【図４】実施例のキャリーバッグ兼用トートバッグの底部カバー開いた状態の底面図である。
【図５】実施例のキャリーバッグ兼用トートバッグの底部カバー開いてキャスターを立てた状態の底面図である。
【図６】実施例のキャリーバッグ兼用トートバッグをキャリーバッグとして使用する場合の正面図である。
【考案を実施するための形態】
【０００８】
考案を実施するために最良の形態の例として以下のような実施例を示す。
【実施例１】
【０００９】
図１〜図６には本考案に係るキャリーバッグ兼用トートバッグの一実施例が示されている。
図１にはキャリーバッグ兼用トートバッグ１０の全体斜視図が示されている。このキャリーバッグ兼用トートバッグ１０のバッグ本体１２は第１バッグ本体シート体１４と、この第１バッグ本体シート体１４と対向して配設された第２バッグ本体シート体１６を備えている。
【００１０】
前記第１バッグ本体シート体１４の第１側部１４Ａと第２側部１４Ｂはカーブして設けられている。また、前記第２バッグ本体シート体１６の第１側部１６Ａと第２側部１６Ｂもカーブして設けられている。
前記第１バッグ本体シート体１４の第１端部１４Ｃは前記第２バッグ本体シート体１６の第１端部１６Ｃと縫着され、前記第１バッグ本体シート体１４の第２端部１４Ｄは前記第２バッグ本体シート体１６の第２端部１６Ｄと縫着されている。
【００１１】
前記バッグ本体１２の底には底面部としての平面視矩形状の底板部１８が設けられている。これにより、バッグ本体１２は有底の筒状に形成されている。
【００１２】
前記バッグ本体１２の上面部にはバッグ開口部２０が形成されている。また、前記第１バッグ本体シート体１４の上部内側面と前記第２バッグ本体シート体１６の上部内側面には開口部ファスナー２２を構成する開口部ファスナー帯２４，２４がそれぞれ取り付けられている。これら開口部ファスナー帯２４，２４には開口部ファスナー２２を構成する開口部ファスナースライダー２６がスライド可能に取り付けられている。従って、開口部ファスナースライダー２６をスライドさせることにより前記バッグ開口部２０を開閉できるようになっている。
【００１３】
前記第１バッグ本体シート体１４の上部外側面と前記第２バッグ本体シート体１６の上部外側面にはベルト状の持ち手部２８，２８が、それぞれ取り付けられている。
【００１４】
図２には前記バッグ本体１２を上下方向に伸ばした正面図が示され、図３には前記バッグ本体１２を上下方向に伸ばした背面図が示されている。
図２及び図３に示されるように、前記バッグ本体１２にはトートバッグ形成ファスナー３０を構成する第１トートバッグ形成ファスナー帯３２と第２トートバッグ形成ファスナー帯３４が取り付けられている。
【００１５】
図２に示されるように、この第１トートバッグ形成ファスナー帯３２の第１一端部３２Ａは第１バッグ本体シート体１４の他端部１４Ｄに取り付けられている。この第１トートバッグ形成ファスナー帯３２の第１傾斜部３２Ｂは斜め上方に傾斜して取り付けられている。この第１傾斜部３２Ｂには連続して第１水平部３２Ｃが設けられている。この第１水平部３２Ｃはバッグ本体１２を横方向に一周し、第１トートバッグ形成ファスナー帯３２の第１他端部３２Ｄは第１バッグ本体シート体１４の幅方向中間部に取り付けられている。
【００１６】
前記第１トートバッグ形成ファスナー帯３２の下方には前記第２トートバッグ形成ファスナー帯３４が取り付けられている。
この第２トートバッグ形成ファスナー帯３４の第２一端部３４Ａは第１バッグ本体シート体１４の他端部１４Ｄで第１トートバッグ形成ファスナー帯３２の第１端部３２Ａと接近して取り付けられている。この第２トートバッグ形成ファスナー帯３４の第２傾斜部３４Ｂは斜め下方に傾斜して取り付けられている。この第２傾斜部３４Ｂには連続して第２水平部３４Ｃが設けられている。この第２水平部３４Ｃはバッグ本体１２を横方向に一周し、第２トートバッグ形成ファスナー帯３４の第２他端部３４Ｄは第１バッグ本体シート体１４の幅方向中間部に取り付けられている。
【００１７】
前記第１トートバッグ形成ファスナー帯３２と前記第２トートバッグ形成ファスナー帯３４には前記トートバッグ形成ファスナー３０を構成するトートバッグ形成ファスナースライダー３６がスライド可能に取り付けられている。
【００１８】
図４に示されるように、前記底板部１８の底面の一側部と他側部にはキャスター取付体４２，４２がそれぞれ固定されている。
【００１９】
このキャスター取付体４２，４２にはキャスター支持アーム挿入孔４４（図６参照）がキャスター取付体４２の長手方向に向かって貫通形成されている。
また、キャスター取付体４２にはスライド阻止部４２Ａが形成されると共に回動ストッパー部４２Ｂ，４２Ｂが対向して形成されている。
【００２０】
前記キャスター支持アーム挿入孔４４には略Ｕ字状のキャスター支持アーム４６の中間部４６Ａがキャスター取付体４２の長手方向にスライド可能に挿入されると共に軸回り方向（図６矢印方向）に回動可能となっている。
【００２１】
このキャスター支持アーム４６はキャスター取付体４２に内設された付勢手段（図示せず）により図４矢印Ａ方向に常時付勢されている。
【００２２】
前記キャスター支持アーム４６の一端部にはキャスター支持軸部４６Ｂが形成され、キャスター４８が回転自在に取り付けられている。また、キャスター支持アーム４６の他端部にはスタンド部４６Ｃが形成されている。
図６に示されるように、キャスター支持アーム４６を回動させてキャスター支持アーム４６を立てた場合に、スタンド部４６Ｃの接地面は前記キャスター４８の接地面よりも底板部１８に位置するようになっている。
これにより、キャリーバッグとして使用する場合にキャスター４８はスタンド部４６Ｃに邪魔されずに回転できるようになっている。
【００２３】
また、キャスター支持アーム４６を把持してキャスター支持アーム４６を回動させてキャスター支持アーム４６を図５に示すように立てるとキャスター支持軸部４６Ｂと回動ストッパー部４２Ｂの係止が解除されるので、付勢手段によりキャスター支持アーム４６は図５矢印Ａ方向にスライドする。
【００２４】
この状態においてはキャスター支持アーム４６は回動ストッパー部４２Ｂ，４２Ｂによって回動を阻止されるのでキャスター４８は立った状態を維持することができる（図５、図６参照）。
また、前記スタンド部４６Ｃも立った状態となるので、キャリーバッグ兼用トートバッグ１０を安定して立てることができる。
【００２５】
図４及び図５に示されるように、前記底板部１８の底面中間部には底部カバー収容ポケット５０が形成されている。この底部カバー収容ポケット５０と前記底板部１８の間には底部カバー収容部５２が形成されている。また、底部カバー収容ポケット５０にはポケット開口部５４が形成されている。
【００２６】
前記底板部１８には連結部５６を介して底部カバー６０が取り付けられている。前記底板部１８の外周部には連結部５６を除いて底部カバーファスナー６２を構成する第１底部カバーファスナー帯６４が取り付けられている。また、底部カバー６０の外周部にも連結部５６を除いて第１底部カバーファスナー帯６４と共に前記底部カバーファスナー６２を構成する第２底部カバーファスナー帯６６が取り付けられている。
【００２７】
第１底部カバーファスナー帯６４と第２底部カバーファスナー帯６６には前記底部カバーファスナー６２を構成する底部カバーファスナースライダー６８，６８がスライド可能に取り付けられている。
【００２８】
次に、実施例のキャリーバッグ兼用トートバッグ１０の作用について説明する。
【００２９】
最初に、キャリーバッグ兼用トートバッグ１０をトートバッグとして使用する場合について説明する。
図２に示されるキャリーバッグ兼用トートバッグ１０の第１トートバッグ形成ファスナー帯３２の第１一端部３２Ａと第２トートバッグ形成ファスナー帯３４の第２一端部３４Ａに位置しているトートバッグ形成ファスナースライダー３６を第１トートバッグ形成ファスナー帯３２の第１傾斜部３２Ｂ、第１中間部３２Ｃ、第２トートバッグ形成ファスナー帯３４の第２傾斜部３４Ｂ、第２中間部３４Ｃ方向にスライドさせる。
【００３０】
前記トートバッグ形成ファスナースライダー３６が第１トートバッグ形成ファスナー帯３２の第１他端部３２Ｄ、第２トートバッグ形成ファスナー帯３４の第２他端部３４Ｄまでスライドさせるとトートバッグ形成ファスナースライダー３６は停止する。
【００３１】
これにより、第１トートバッグ形成ファスナー帯３２と第２トートバッグ形成ファスナー帯３４が連結するのでバッグ本体１２は上下方向に小さくなり図１に示す状態となる。
前記バッグ本体１２のバッグ開口部２０からバッグ本体１２内部に荷物を入れて持ち手部２８，２８を手で持ったり、肩に掛けたりすることによりトートバッグとして使用することができる。
【００３２】
トートバッグとして使用する場合、図１に示されるようにキャスター４８，４８は露出しないのでトートバッグとしての外観品質は低下しない。
また、キャスター４８，４８が露出しないので、手で持ったり肩に掛けたりして携帯してもキャスター４８，４８が洋服等に触れたりすることはないので洋服等が汚れたりすることはないので、キャスター４８，４８を気にすることなくトートバッグとして携帯、使用することができる。
また、キャスター４８，４８は露出しないので、電車やバス等で座席に座った場合にキャリーバッグ兼用トートバッグ１０を膝の上に載せることができる。
【００３３】
次に、キャリーバッグ兼用トートバッグ１０をキャリーバッグとして使用する場合について説明する。
図１に示される位置に位置しているトートバッグ形成ファスナースライダー３６を第１トートバッグ形成ファスナー帯３２の第１中間部３２Ｃ、第１傾斜部３２Ｂ、第２トートバッグ形成ファスナー帯３４の第２中間部３４Ｃ、第２傾斜部３４Ｂ方向にスライドさせる。
【００３４】
このトートバッグ形成ファスナースライダー３６のスライドにより第１トートバッグ形成ファスナー帯３２の第１他端部３２Ｄ、第１中間部３２Ｃ、第１傾斜部３２Ｂと第２トートバッグ形成ファスナー帯３４の第２他端部３４Ｄ、第２中間部３４Ｃ、第２傾斜部３４Ｂの連結が解除されるため、第１トートバッグ形成ファスナー帯３２と第２トートバッグ形成ファスナー帯３４の連結が解除されるので、図２及び図３に示されるようにバッグ本体１２を上下方向に伸ばすことができる。
【００３５】
次に、前記底部カバーファスナースライダー６８，６８をスライドさせて、図４に示されるように底部カバー６０を開き、キャスター支持アーム４６を把持して横になっているキャスター支持アーム４６を回動させて立てる。
【００３６】
キャスター支持アーム４６を回動させるとキャスター支持軸部４６Ｂはスライド阻止部４２Ａから外れるため付勢手段によりキャスター支持アーム４６は図４矢印Ａ方向にスライドすると共に回動ストッパー部４２Ｂ，４２Ｂによって回動を阻止される。
この結果、図５及び図６に示されるようにキャスター４８，４８とスタンド部４６Ｃ，スタンド部４６Ｃは立った状態を維持する。
【００３７】
最後に、前記底部カバー６０を折り畳んで、小さく折り畳んだ底部カバー６０をポケット開口部５４から底部カバー収容ポケット５０の底部カバー収容部５２に収容する。
従って、図６に示されるように底部カバー６０が邪魔になることなくキャリーバッグ兼用トートバッグ１０をキャリーバッグとして使用することができる。
【００３８】
なお、前記キャリーバッグ兼用トートバッグ１０はバッグ本体１２を上下方向に伸ばすことが可能であるので、トートバッグとして使用する場合において大きい荷物を運びたい場合はバッグ本体１２を上下方向に伸ばしてバッグ本体１２を大きくし大きい荷物を運ぶことができる。
【符号の説明】
【００３９】
１０    キャリーバッグ兼用トートバッグ
１２    バッグ本体
１４    第１バッグ本体シート体
１６    第２バッグ本体シート体
１８    底板部
２０    バッグ開口部
２２    開口部ファスナー
２４    開口部ファスナー帯
２６    開口部ファスナースライダー
２８    持ち手部
３０    トートバッグ形成ファスナー
３２    第１トートバッグ形成ファスナー帯
３２Ａ  第１一端部
３２Ｂ  第１傾斜部
３２Ｃ  第１水平部
３２Ｄ  第１他端部
３４    第２トートバッグ形成ファスナー帯
３４Ａ  第２一端部
３４Ｂ  第２傾斜部
３４Ｃ  第２水平部
３４Ｄ  第２他端部
３６    トートバッグ形成ファスナースライダー
４２    キャスター取付体
４２Ａ  スライド阻止部
４２Ｂ  回動ストッパー部
４４    キャスター支持アーム挿入孔
４６    キャスター支持アーム
４６Ａ  中間部
４６Ｂ  キャスター支持軸部
４６Ｃ  スタンド部
４８    キャスター
５０    底部カバー収容ポケット
５２    底部カバー収容部
５４    ポケット開口部
５６    連結部
６０    底部カバー
６２    底部カバーファスナー
６４    第１底部カバーファスナー帯
６６    第２底部カバーファスナー帯
６８    底部カバーファスナースライダー
【図１】
0003192542.tif 000003
【図２】
0003192542.tif 000004
【図３】
0003192542.tif 000005
【図４】
0003192542.tif 000006
【図５】
0003192542.tif 000007
【図６】
0003192542.tif 000008